(57)【要約】【課題】ダッシュボードから落下しないようにその上に小物類を載置できるという有用な機能を有し、しかも宣伝効果が高く、販促具として好適に利用でき、安価に製作可能なキャラクター商品付き滑り止めシートを提供する。【解決手段】滑り止め作用を有する軟質シート１１と、軟質シート１１に着脱可能に付着するキャラクター商品１２とを備え、キャラクター商品１２を磁気吸着により軟質シート１１に着脱可能に付着する。軟質シート１１として、２枚の素材シートを、磁着性を有する接着剤で貼り合わせてなるものを用い、キャラクター商品１２としてその底部に永久磁石を設けたものを用いた。【選択図】        図１
2007302849.tif 000002
【特許請求の範囲】
【請求項１】
滑り止め作用を有する軟質シートと、
前記軟質シートに着脱可能に付着するキャラクター商品と、
を備えたことを特徴とするキャラクター商品付き滑り止めシート。
【請求項２】
前記キャラクター商品を磁気吸着により軟質シートに着脱可能に付着する請求項１記載のキャラクター商品付き滑り止めシート。
【請求項３】
前記軟質シートとして磁着性を有するものを用い、前記キャラクター商品としてその底部に永久磁石を設けたものを用いた請求項２記載のキャラクター商品付き滑り止めシート。
【請求項４】
前記軟質シートとして、２枚の素材シートを、磁着性を有する接着剤で貼り合わせてなるものを用いた請求項２又は３記載のキャラクター商品付き滑り止めシート。
【請求項５】
前記軟質シートに磁着性を有するインクを用いて印刷を施した請求項２〜４のいずれか１項記載のキャラクター商品付き滑り止めシート。
【請求項６】
前記キャラクター商品の底面に粘着層を形成し、この粘着層を介して前記キャラクター商品を軟質シートに着脱可能に付着する請求項１〜５のいずれか１項記載のキャラクター商品付き滑り止めシート。
【請求項７】
前記キャラクター商品の底面に軟質シートに係合する係合突起を形成した請求項１〜６のいずれか1項記載のキャラクター商品付き滑り止めシート。
【請求項８】
前記軟質シートが発泡ゴムシートからなる請求項１〜７のいずれか１項記載のキャラクター商品付き滑り止めシート。
【請求項９】
前記軟質シートに小物類を収容可能な収容部を形成した請求項１〜８のいずれか1項記載のキャラクター商品付き滑り止めシート。
【請求項１０】
前記キャラクター商品に関連する文字や図柄を印刷した装飾片を軟質シートの上面一側部に固定した請求項１〜９のいずれか１項記載のキャラクター商品付き滑り止めシート。
【請求項１１】
前記装飾片の３辺を軟質シートに固定して、装飾片により小物類を収容可能な収容部を形成した請求項１０記載のキャラクター商品付き滑り止めシート。
【発明の詳細な説明】
【技術分野】
【０００１】
本発明は、自動車のダッシュボート等に敷設して、その上に載せた硬貨やメガネや携帯電話などの小物類の落下を防止でき、しかも各種商品等の販売促進用商品（以下、単に販促具と称する）として好適に利用可能なキャラクター商品付き滑り止めシートに関する。
【背景技術】
【０００２】
自動車のダッシュボード上面は、平滑な傾斜面で滑り易いことから、硬貨やメガネや携帯電話などの小物類をその上に置くと、走行時の振動で落下するという問題があり、比較的広いスペースであるにも拘わらず有効に活用することが困難であった。
【０００３】
そこで、このようなダッシュボード上面を有効活用すべく、ダッシュボード上面に敷設して使用する、シリコーンゴムやブチルゴムなどの極柔軟性ゴムからなる吸着シートが提案されている(例えば、特許文献１参照。)。この吸着シートでは、これをダッシュボードの上面に敷設し、その上に小物類を載せることで、吸着シートの滑り止め効果により、小物類が容易には落下しないように構成されている。
【０００４】
一方、自動車のフロントガラスの車室側に取り付け可能な商品として、軽量素材で形成した人形・動物などのマスコットの所要箇所に吸盤を取り付け、該マスコットの所要箇所に日よけ用の遮光素材で形成したマント状日よけ部を取り付け、該マント状日よけ部の尾端の所要箇所に保持具を取り付けた自動車用日よけが提案されている（例えば、特許文献２参照。）。
【０００５】
【特許文献１】特開２００４−９９７１９号公報
【特許文献２】実開平４−４３５１４号公報
【発明の開示】
【発明が解決しようとする課題】
【０００６】
前記特許文献１に記載の吸着シートでは、硬貨やメガネや携帯電話などの小物類のダッシュボードからの落下をある程度防止することができるが、自動車の走行時の振動が大きい場合や、急加速時や急制動時などにおいて大きな慣性力が作用すると、ダッシュボードから落下することがあった。硬貨やボールペンなどの小物類においては、落下しても問題になることはないが、携帯電話などの精密機器が落下した場合には、故障の原因となり、またメガネ類が落下した場合には、レンズの破損が懸念される。しかも、この吸着シートは、各種商品等の販促用に開発されたものではないので、単なる平坦なシート状の部材であり、販促用に印刷等を施したとしても、立体的な面白みに欠けるものであった。
【０００７】
一方、特許文献２に記載の自動車用日よけでは、人形や動物などのマスコットを用いており、立体的な面白みがあるので、例えばマントに販促用の印刷を施すことで、利用者に十分な印象を与え、しかも日よけとしての機能を有する販促具を実現できる。しかし、構造が複雑で製作コストが高くなるという致命的な問題を有することから、販促具として利用することは困難であった。
【０００８】
本発明の目的は、ダッシュボードから落下しないようにその上に小物類を載置できるという有用な機能を有し、しかも宣伝効果が高く、販促具として好適に利用でき、安価に製作可能なキャラクター商品付き滑り止めシートを提供することである。
【課題を解決するための手段】
【０００９】
本発明者は、車室内において何らかの有用な機能を有し、しかも利用者に十分な印象を与え、宣伝効果が高く、安価に製作可能な販促具について鋭意検討し、滑り止めシートが好適に利用できることを見出し、本発明を完成するに至った。
【００１０】
本発明に係るキャラクター商品付き滑り止めシートは、滑り止め作用を有する軟質シートと、前記軟質シートに着脱可能に付着するキャラクター商品とを備えたものである。
【００１１】
このキャラクター商品付き滑り止めシートでは、軟質シートを例えば自動車のダッシュボードの上に敷設するとともに、軟質シート上にキャラクター商品を付着し、軟質シート上に硬貨やメガネや携帯電話などの小物類を載置して使用することになるが、軟質シートが滑り止め作用を有するので、走行時の振動等による小物類の落下が、この軟質シートにより防止されることになる。また、軟質シートに人、動物、シンボル、又はそのイメージを模したキャラクター商品を付着させるので、平板状の軟質シートだけでなく、立体的なキャラクター商品によっても、利用者の視覚に訴えることができる。このため、販促対象商品や販促具を提供する企業のイメージキャラクターなどに応じて、軟質シートに印刷を施したり、キャラクター商品を製作したりすることで、販売促進効果を格段に高めることができる。しかも、軟質シート及びキャラクター商品自体は安価に製作できるものなので、販促具として無理なく採用することができる。また、キャラクター商品の付着位置を利用者の好みに応じて変更したり、利用者の好みのフィギュア等を軟質シートに付着させたりすることも可能なので、車室内における装飾性を向上する１つの手段として利用することもできる。
【００１２】
ここで、前記キャラクター商品を磁気吸着により軟質シートに着脱可能に付着することができる。具体的には、前記軟質シートとして磁着性を有するものを用い、前記キャラクター商品としてその底部に永久磁石を設けたものを用いたり、軟質シートに永久磁石を備えさせ、キャラクター商品の下端部に磁着性を有する鉄板等を接着剤等で固定したりすることができる。前者の場合には、キャラクター商品の付着位置を利用者の好みに応じて変更できるので、好適である。また、後者の場合には、軟質シート全体を着磁して、キャラクター商品の付着位置を利用者の好みに応じて変更することも可能であるが、例えば携帯電話や磁気カード等のように磁力により悪影響を受ける可能性のある小物類を軟質シート上に載置できないので、後者の場合には、軟質シートの一部のみを着磁することが好ましい。尚、磁着性とは、磁石に対して吸着される性質を意味する。
【００１３】
また、前記軟質シートとして、２枚の素材シートを、磁着性を有する接着剤で貼り合わせてなるものを用いることもできる。軟質シートに磁着性を付与するため、軟質シートの製作時に磁着性を有する金属粉を添加すると、軟質シート成形時における切断刃の摩耗が早くなる。本発明では、軟質シートを２枚の素材シートと、それを接着する接着剤とで構成し、予め素材シートを軟質シートの寸法に切断した後、磁着性を有する接着剤で２枚の素材シートを貼り合わせ、軟質シートを構成することで、金属粉が素材シートに添加しないようにして、素材シートの切断刃の摩耗を防止できる。
【００１４】
軟質シートに対して磁着性を付与する方法として、前記軟質シートに磁着性を有するインクを用いて印刷を施すことも可能である。この場合には、軟質シートの切断後に軟質シートに印刷を施したり、軟質シートの切断部分に対して印刷を施さないように構成したりすることで、軟質シートを切断するための切断刃の摩耗を抑制することができる。
【００１５】
軟質シートに対してキャラクター商品を付着させる方法としては、前述のような磁気吸着による場合以外に、前記キャラクター商品の底面に粘着層を形成し、この粘着層を介して前記キャラクター商品を軟質シートに着脱可能に付着することもできる。また、前記キャラクター商品の底面に軟質シートに係合する係合突起を形成し、係合突起を軟質シートに突き刺して、軟質シートに対してキャラクター商品を付着することもできる。更に、磁気吸着と粘着層と係合突起を任意に組み合わせて付着することもできる。
【００１６】
前記軟質シートとしては、発泡ゴムシートで構成することができる。発泡ゴムシートは、軽量で且つ安価に製作でき、しかも滑り止め効果が高いので好ましい。
【００１７】
前記軟質シートに小物類を収容可能な収容部を形成することもできる。例えば、携帯電話やメガネ等、落下によって破損する可能性のある小物類をこの収容部に入れておくと、これらの小物類の落下が軟質シートにより抑制されるとともに、万一軟質シートとともに落下した場合であっても、軟質シートがクッション材として作用するので、落下による衝撃を軟質シートで吸収して、小物類の破損を効果的に防止することができる。
【００１８】
前記キャラクター商品に関連する文字や図柄を印刷した装飾片を軟質シートの上面一側部に固定することもできる。このような装飾片を固定すると、販売促進効果を一層高めることができる。また、この場合には、前記装飾片の３辺を軟質シートに固定して、装飾片により小物類を収容可能な収容部を形成することも好ましい実施の形態である。このようにして形成した収容部には、例えば紙幣や高速道路の領収書などの紙片を挿入でき、走行時の風により、これらの紙片が吹き飛ばされることを防止できるので好ましい。軟質シートに対する装飾片の固定は、接着剤や融着や縫製など、周知の方法により行うことができる。
【発明の効果】
【００１９】
本発明に係るキャラクター商品付き滑り止めシートによれば、軟質シートを例えば自動車のダッシュボードの上に敷設し、軟質シート上にキャラクター商品を付着して、軟質シート上に硬貨やメガネや携帯電話などの小物類を載置して使用することになるが、軟質シートが滑り止め作用を有するので、走行時の振動等による小物類の落下が、この軟質シートにより防止されることになる。また、軟質シートに人、動物、シンボル、又はそのイメージを模したキャラクター商品を付着させるので、平板状の軟質シートだけでなく、立体的なキャラクター商品によっても、利用者の視覚に訴えることができる。このため、販促対象商品や販促具を提供する企業のイメージキャラクターなどに応じて、軟質シートに印刷を施したり、キャラクター商品を製作したりすることで、販売促進効果を格段に高めることができる。しかも、軟質シート及びキャラクター商品自体は安価に製作できるものなので、販促具として無理なく採用することができる。また、キャラクター商品の付着位置を利用者の好みに応じて変更したり、利用者の好みのフィギュア等を軟質シートに付着させたりすることも可能なので、車室内における装飾性を向上する１つの手段として利用することもできる。
【発明を実施するための最良の形態】
【００２０】
以下、本発明の実施例について図面を参照しながら説明する。
図１、図２に示すように、キャラクター商品付き滑り止めシート（以下、販促具と称する）１０は、滑り止め作用を有する軟質シート１１と、軟質シート１１に着脱可能に付着するキャラクター商品１２とを備えたもので、軟質シート１１を、例えば自動車のダッシュボード１などの上面に敷設し、その上にキャラクター商品１２をセットして、軟質シート１１に施した印刷１１ａとキャラクター商品１２とで販促具１０を構成することで、販促対象商品や販促具を提供する企業の宣伝を図るとともに、利用者が硬貨やメガネや携帯電話などの小物類２を軟質シート１１上に載置したときに、これらの小物類２がダッシュボード１から落下することを防止するように構成したものである。
【００２１】
軟質シート１１としては、滑り止め効果を有するものであれば、任意の素材からなるものを採用でき、シリコーンゴムやブチルゴム、或いはこれらの発泡体を厚さ１〜５ｍｍのシートに成形したものを好適に採用できる。軟質シート１１の平面寸法は任意に設定可能であるが、小さすぎると小物類２を載せるスペースが小さくなり、大きすぎると製作コストが高くなるので、前後が１０〜１５ｃｍ、左右が１０〜２５ｃｍのものを好適に利用できる。この軟質シート１１をダッシュボード１の上面に敷設した状態で、軟質シート１１とダッシュボード１の上面間に殆ど隙間が形成されないように、軟質シート１１はダッシュボード１の上面の曲面や凹凸面に沿って変形可能に構成されている。軟質シート１１の上面には、販促対象物の商標やイメージキャラクター、製造メーカ名などの印刷１１ａが施され、本実施の形態では、キャラクター商品１２の形態に合わせてダルマの絵柄を印刷することで、販売促進効果が得られるように構成されている。但し、印刷１１ａは、軟質シート１１の上面全体に施すことも可能であるし、一部に施すことも可能である。
【００２２】
キャラクター商品１２は、合成樹脂材料や金属材料、陶磁器や木材など任意の素材で構成することができる。また、図１、図２では、ダルマの形状に形成したが、販促対象物や提供企業のイメージキャラクターやマスコットを模した任意の立体形状に構成できる。
【００２３】
キャラクター商品１２を軟質シート１１に着脱可能に付着させる方法としては、磁気吸着による方法と、粘着による方法と、係合による方法と、これらを任意に組み合わせた方法など、任意の方法により付着させることができる。
【００２４】
磁気吸着による場合には、図２に示すように、キャラクター商品１２の下端部に永久磁石１３を取り付け、軟質シート１１として永久磁石１３に吸着する鉄などの金属粉等を添加したものを採用することができる。但し、金属粉を添加した素材シートを設定サイズに打ち抜き成形するときに、金属粉により切断刃の摩耗が著しくなるので、これを防止するため、素材シートを打ち抜いた後、軟質シート１１に印刷１１ａを施す際に、金属粉を添加したインクを用いることで、切断刃の摩耗を抑制しつつ、キャラクター商品１２が磁気吸着により付着できるように構成することもできる。また、図３に示す軟質シート１１のように、２枚の素材シート１４、１５を設定形状に打ち抜いた後、金属粉を添加した接着剤１６で両者を接着するように構成することも可能である。更に、軟質シート１１を着磁するとともに、キャラクター商品１２の下端部に永久磁石１３に代えて磁着性を有する金属板等を接着などにより固定して、キャラクター商品１２を軟質シート１１に磁気吸着により付着させることも可能である。この場合には、金属粉に代えて磁性粉を、軟質シート１１に添加したり、インクに添加したり、接着剤に添加したりして、軟質シート１１を製作した後、この軟質シート１１に磁界を作用させて着磁することになる。
【００２５】
粘着による場合には、図４に示すように、キャラクター商品１２の底面に粘着層１７を形成するとともに粘着層１７に剥離紙１８を貼り付け、キャラクター商品１２を付着させるときには、剥離紙１８を剥離して粘着層１７を露出させてから、この粘着層１７を軟質シート１１の上面に粘着させて、キャラクター商品１２を軟質シート１１に固定することもできる。粘着層１７の素材としては、軟質シート１１に対して繰り返して着脱可能なものであれば任意の組成のものを採用できる。
【００２６】
係合による場合には、図５に示すように、キャラクター商品１２の底面に複数の係合突起１９を形成し、この係合突起１９を軟質シート１１に突き刺して、軟質シート１１に対してキャラクター商品１２を着脱可能に付着することもできる。また、面ファスナの一方をキャラクター商品１２の底面に設け、面ファスナーの他方を軟質シート１１の上面に設けて、軟質シート１１に対してキャラクター商品１２を着脱可能に付着させることもできる。また、軟質シート１１の下面側へ係合突起１９の先端部を突出させるとともに、係合突起１９の先端部に係合する係止片を軟質シート１１の底面側から係合突起１９の先端部に固定してキャラクター商品１９を軟質シート１１に固定することもできる。
【００２７】
宣伝効果を高めるため、図６に示すように、印刷１１ａに代えて或いは印刷１１ａと併用して軟質シート１１の上面の一側部に軟質合成樹脂シートからなる装飾片２０を接着剤や融着や縫製などの周知の方法により固定することもできる。装飾片２０としては、販売促進効果を高めるため、キャラクター商品１２と統一した一連のデザインのものを採用することが好ましく、本実施の形態では、キャラクター商品１２としてのダルマに対応させて、ダルマの印刷を施した装飾片２０を取り付けた。但し、このような装飾片２０を固定する場合には、図７に示すように、装飾片２０の前縁部２０ａと左右の側縁部２０ｂのみを軟質シート１１に接着剤等により固定して、軟質シート１１と装飾片２０間に収容部２１を形成することも好ましい実施の形態である。この場合には、高速道路の通行証や領収書、紙幣等の紙片を収容部２１に差し込んで保持させることで、窓から入り込んだ風によって、これらの紙片が吹き飛ばされることを防止できるので好ましい。尚、本実施の形態では、装飾片２０として、厚手の合成樹脂シートを用いたが、薄手の合成樹脂シートを用いることもできるし、合成樹脂シート以外に紙シートや、紙シートに樹脂シートをラミネートしたラミネートシートなどを用いることも可能である。
【００２８】
また、図８に示す軟質シート２２のように、素材シートの端部を折り返して、折返部２３の両側部を本体部２４の両側部に接着剤や融着や縫製などの周知の方法で固定し、本体部２４と折返部２３間に収容部２５を形成することも好ましい実施の形態である。この場合には、携帯電話機やメガネなどを収容部２５に収容することで、携帯電話機やメガネ等の小物類２がダッシュボード１からの落下することを軟質シート２２で効果的に防止でき、また万一落下した場合でも、軟質シート２２により落下時の衝撃が吸収されるので、携帯電話機やメガネの小物類２の破損を効果的に防止することができる。また、この軟質シート２２のように、本体部２４をパンダなどの動物に模した形状に打ち抜いて印刷を施すと、より一層面白みのある販促具を実現できる。更に、図９に示す軟質シート２２Ａのように、前記軟質シート１１に小物類２を収容可能な別部材からなるポケット２６を固定することもできる。
【図面の簡単な説明】
【００２９】
【図１】使用状態での販促具の説明図
【図２】使用状態での販促具のキャラクター商品付近の縦断面図
【図３】他の構成の軟質シートの縦断面図
【図４】他の付着方法の説明図
【図５】他の付着方法の説明図
【図６】他の構成の軟質シートの斜視図
【図７】他の構成の軟質シートの斜視図
【図８】他の構成の軟質シートの斜視図
【図９】他の構成の軟質シートの斜視図
【符号の説明】
【００３０】
１      ダッシュボード      ２      小物類
１０    販促具              １１    軟質シート
１１ａ  印刷
１２    キャラクター商品    １３    永久磁石
１４    素材シート          １５    素材シート
１６    接着剤              １７    粘着層
１８    剥離紙              １９    係合突起
２０    装飾片              ２０ａ  前縁部
２０ｂ  側縁部              ２１    収容部
２２    軟質シート          ２３    折返部
２４    本体部              ２５    収容部
２２Ａ  軟質シート          ２６    ポケット
【図１】
2007302849.tif 000003
【図２】
2007302849.tif 000004
【図３】
2007302849.tif 000005
【図４】
2007302849.tif 000006
【図５】
2007302849.tif 000007
【図６】
2007302849.tif 000008
【図７】
2007302849.tif 000009
【図８】
2007302849.tif 000010
【図９】
2007302849.tif 000011